(57)【要約】      （修正有）【課題】掬い上げた粉体や粒状体等の計量対象物を、計量スプーンの縁部を摺りきって計量するという作業を省略して、片手で掬い上げた粉体等を軽く振るだけで一定量が残り、目視で簡単に計量が可能な計量具の提供。【解決手段】粉体、粒状物を計量する内面が凹状の計量部１、柄３からなり、計量部内面のほぼ中央に山状の計量指標部６を設けたプラスチック製計量具。さらには計量指標部６の上端と計量部の壁上端部２が同一面上にあり計量部に連接する柄の上側３Ａが曲面であるプラスチック製計量具。【選択図】図１
2010230376.tif 000002
【特許請求の範囲】
【請求項１】
粉体、粒状物を計量する内面が凹状の計量部、柄からなり、計量部内面のほぼ中央に山状の計量指標部を設けたことを特徴とするプラスチック製計量具。
【請求項２】
計量指標部の上端と計量部の壁上端部が同一面上にあることを特徴とする請求項１に記載のプラスチック製計量具。
【請求項３】
計量部に連接する柄の上側が曲面であることを特徴とする請求項１または２に記載のプラスチック製計量具。
【請求項４】
大きさが異なる計量部が柄の両側に設けられていることを特徴とする請求項１から３のいずれか１項に記載のプラスチック製計量具。
【発明の詳細な説明】
【技術分野】
【０００１】
粒状、粉体などを計量するスプーン等の計量具に関するものであり、調理等のときに簡単に調味料などの計量が出来るプラスチック製の計量具に関する。
【背景技術】
【０００２】
調味料や甘味料の計量スプーンなど比較的少量の材料を計量するスプーンは、たとえば図４に示すような球状面をカットしたような形状の計量部（１）と、計量部に接続する柄の部分（３）と、計量時に指で掴む部分（操作保持部分）（４）から構成されている。
【０００３】
従来の粉体や粒状体などの粉ものを計量する計量スプーンは、円形の縁部（２）を持ち、計量部の深さもその直径と比べて比率が１以下の浅いものが多い。
【０００４】
これは、容器に入った計量対象物を容器入り口から計量スプーンを差し入れて掬える形から設定されており、深い計量部は操作しづらいために口径と深さの関係から計量部はなるべく浅く、縁の立ち上がりの角度も鈍角のものが多い。
【０００５】
また、計量部の縁部の高さと操作保持部をつなぐ柄の部分の上面（３Ａ）が、従来の計量スプーンでは同一面上にあり上面が平面状のものが多い。柄の部分（Ｘ−Ｘ’）での断面の例を図４（Ａ）の右下に示した。
【０００６】
これは、計量する場合に精度を良くするために摺りきりバー（箸などで代用することもある）やオーバーキャップの縁などで多めに掬い上げた計量対象物を計量スプーンの縁部を摺りきって計量するという図４の（Ｂ）に粉体を例に描いたような摺り切り作業をし易くするためであり、このことによって形状的にも制約を受けていた。
【０００７】
粉体や粒状体の計量をより簡便に行うという目的では、特許文献１および特許文献２に示されているように、二種類の計量を一本で可能にするために、計量スプーンの表計量部の背面に裏計量部を設け、表裏で計量する数量が異なる両面計量スプーン、すなわち形状としては計量スプーンの計量部の凹部のほぼ中央を凸部とする計量スプーンが挙げられるがこれらの計量スプーンでは精度よく計ろうとすると片手だけでの操作では限界があった。
【先行技術文献】
【特許文献】
【０００８】
【特許文献１】実開平６−６９７５０号公報
【特許文献２】実開平７−３８９２２号公報
【発明の概要】
【発明が解決しようとする課題】
【０００９】
以上のように、掬い上げた粉体や粒状体等の計量対象物を、計量スプーンの縁部を摺りきって計量するという作業を省略して、片手で掬い上げた粉体等を軽く振るだけで一定量が残り、目視で簡単に計量が可能な計量具の提供が課題である。
【課題を解決するための手段】
【００１０】
上記課題を解決するための本発明の請求項１に係る発明は、粉体、粒状物を計量する内面が凹状の計量部、柄からなり、計量部内面のほぼ中央に山状の計量指標部を設けたことを特徴とするプラスチック製計量具である。
【００１１】
本発明の請求項２に係る発明は、計量指標部の上端と計量部の壁上端部が略同一面上にあることを特徴とする請求項１に記載のプラスチック製計量具である。
【００１２】
本発明の請求項３に係る発明は、計量部に連接する柄の上側が曲面であることを特徴とする請求項１または２に記載のプラスチック製計量具である。
【００１３】
本発明の請求項４に係る発明は、大きさが異なる計量部が柄の両側に設けられていることを特徴とする請求項１から３のいずれか１項に記載のプラスチック製計量具である。
【発明の効果】
【００１４】
本発明の請求項１に係る発明のプラスチック製計量具によれば、粉体、粒状物を計量する内面が凹状の計量部、柄からなり、計量部内面のほぼ中央に山状の計量指標部を設けたことによって、摺りきりバーなどの特殊な構造を持たず、操作保持部を軽く振り、多めに計量（計量部縁部より盛り上がる状態）した粉体の山を崩して縁から落とす時、略中央部の計量指標部の上端が視認された時点で目視で簡単に計量が完了する。
【００１５】
また、計量部内面の底から立ち上がった凸部があるため、縁部から下方の計量部に入っている粉が振ったときに動き難く、縁の辺りから上の山上の部分の粉だけを計量部外に効率よくゆすり落とすことが出来る。
【００１６】
このようにして、粉体、粒状体等の比較的流動性の良い粉物を摺りきらずに精度よく計量できる。
【００１７】
本発明の請求項２に係る発明のプラスチック製計量具によれば、計量指標部の上端と計量部の壁端部が略同一面上にあることによって計量部内部に残った計量対象物の量が一定の量になったことを示す計量完了の確認が計量部の壁端部ではなく、略中央部にある計量部の底面から立ち上がって高さが縁部とほぼ同等の凸部（＝計量指標部）上端の目視確認で簡単に出来る
【００１８】
このために、視力の弱い人や子供、高齢者などでも計量部略中央部に計量完了の目印が現れるので、非常に扱い易い。
【００１９】
さらに、上記凸部をより視認し易くするために計量指標部に対して計量対象物と異なる色、形等の要素を付加する場合もあり、たとえば色を変える場合にも本発明のプラスチック製計量具は２色成形法等の周知のプラスチック成形法で対応が可能である。
【００２０】
本発明の請求項３に係る発明のプラスチック製計量具によれば、計量部に連接する柄の上側が曲面であることによって、粉が乗る平面部を持たない。これは、掬ったときに粉が柄の上に残らないためで、より計量精度が必要な場合に効果を発揮する。
【００２１】
従来の摺りきりバー等で柄の上に残った粉を落とす場合には操作保持部から計量部に接続する柄の部分が計量部縁部と同一面上にあり柄の上側が平面であることが精度を上げるためには必要だったが、摺り切りバー等を用いない本発明のプラスチック製計量具の場合には柄の部分の上側は曲面になっているので粉がのりにくく振り落としやすい。
【００２２】
本発明の請求項４に係る発明のプラスチック製計量具によれば、大きさが異なる計量部が柄の両側に設けられていることによって１本の計量具でたとえば、大匙１杯相当量と小匙１杯相当量が計量具を交換することなく簡単に計量できるようになる。
【００２３】
このように、本発明のプラスチック製計量具によれば、摺りきりバーなどの特殊な構造を持たず、操作保持部を軽く振り、多めに計量（計量部縁部より盛り上がる状態）した粉体の山を崩して縁から落とす時、略中央部の計量指標部が視認されるため、粉体、粒状の比較的流動性の良い粉物を摺りきらずに精度よく計量できる。
【００２４】
また、子供、高齢者などでも計量部略中央部に計量完了の目印が現れるので、特別な動作をすることなく簡単に計量できる。
【００２５】
さらに、１本の計量具で異なる量の計量を行うことが出来るのみならず、計量部と操作保持部からのびる柄の位置に制約がなく、デザイン的に幅広く展開できる。
【図面の簡単な説明】
【００２６】
【図１】本発明のプラスチック製計量具の一例を示す概略図。（Ａ）上面から（Ｂ）使用時の長手方向断面。
【図２】本発明のプラスチック製計量具の他の一例を示す概略図。（Ａ）上面から（Ｂ）使用時の長手方向断面。
【図３】本発明のプラスチック製計量具の他の一例を示す概略図。（Ａ）上面から（Ｂ）使用時の長手方向断面。
【図４】従来の計量スプーンの一例を示す概略図。（Ａ）上面から（Ｂ）使用時の長手方向断面。
【発明を実施するための形態】
【００２７】
以下に、本発明のプラスチック製計量具について、図面を用いて具体的に説明する。
【００２８】
図１は、本発明のプラスチック製計量具の一例を示す概略図である。図１の（Ａ）には上面から見たプラスチック製計量具の概略図を、（Ｂ）には粉体計量時の長手方向の断面の概略図を示した。（Ｂ）の上側の図は粉体を多めに掬い取った状態を、下側の図は操作保持部を手で持って軽く振り余分の粉体を落とした後の状態を示している。
【００２９】
図２は、本発明のプラスチック製計量具の他の一例を示す概略図である。図３は、本発明のプラスチック製計量具の他の一例を示す概略図である。
【００３０】
ここでは、おもに図１の例について説明し、図２および図３の例については図１の例との相違部分を補足するに留める。
【００３１】
図１に示した本発明のプラスチック製計量具は、粉体、粒状物を計量する内面が凹状の計量部（１）とそれに接続した柄（３）からなり、計量部（１）内面のほぼ中央に山状の計量指標部（６）を設けたプラスチック製計量具である。
【００３２】
このことによって、たとえば図４に示した従来の計量スプーンのように片手で操作保持部（４）をつかみもう一方の手で摺りきりバーなどで計量部縁部（２）に沿って粉体（５）の余分な部分をかきとるという複雑な動作を必要とせず、操作保持部（４）を軽く振り、長手方向の断面を図１（Ｂ）の上の図に示したように多めに掬い取り計量部縁部（２）より盛り上がる状態とした粉体（５）の山を崩して縁から落としていくと、図１（Ｂ）の下の図に示したように、略中央部の計量指標部（６）の上端が露出してくるので、これが視認された時点で目視で簡単に計量が完了する。
【００３３】
この軽く振る操作の時に、図１（Ｂ）に示したように計量部内面の底から山状に立ち上がった凸部形状の計量指標部（６）が中央にあるため、計量部縁部（２）の面から下方の計量部（１）に入っている粉体（５）が振ったときに動き難く、計量部縁部（２）の上端
面辺りから上の山上の部分の粉だけを計量部外に効率よくゆすり落とすことが出来るので、粉体、粒状体等の比較的流動性の良い粉物を片手で摺りきる作業なしに精度よく計量できる。
【００３４】
図１の（Ｂ）では計量部縁部（２）と柄上面（３Ａ）が同じ高さの場合を示してあるが、本発明のプラスチック製計量具においては柄上面が上方に凸の曲面であることは望ましいが、計量部縁部（２）と柄上面（３Ａ）が同じ高さである必要はなく操作性やデザインに応じて設定が可能である。
【００３５】
本発明のプラスチック製計量具は、計量指標部（６）の上端と計量部（１）の壁上端部すなわち計量部縁部（２）が略同一面上にあることによって、計量部（１）内部に残った粉体（５）の量が一定の量になったことを示す計量完了の確認が計量部（１）の壁上端部すなわち計量部縁部（２）ではなく、略中央部にある計量部（１）の底面から立ち上がって高さが計量部縁部（２）とほぼ同等の計量指標部（６）上端の目視確認で簡単に出来る。
【００３６】
図１のプラスチック製計量具の場合には、上記計量指標部（６）の上端の露出をより視認し易くするために計量対象物と異なる色（図示せず）としている。
【００３７】
本発明のプラスチック製計量具はプラスチック製であるため計量指標部の上端のみといった、成形品の部分によって色を変える場合にも２色成形法等の周知のプラスチック成形法で容易に対応が可能である。
【００３８】
さらに、図１の（Ａ）に柄（３）のＸ−Ｘ’線での断面を示したように、計量部（１）に連接する柄（３）の上側（３Ａ）が曲面であることによって、前記の軽く振る動作をするだけで柄の上側に載った粉を振り落とすことが出来る。柄上面に形成された曲面は、１の（Ａ）に示したような上方に凸の曲面であることが望ましい。
【００３９】
また、柄（３）及び操作保持部（４）の長手方向にＸ−Ｘ’線と平行な断面を観察したときにも上方に凸の曲面であることが望ましいがこれらの程度は操作性を阻害しない範囲で任意に決めることが出来る。
【００４０】
このように、本発明のプラスチック製計量具では、摺り切りバー等を片手で持って摺るという操作をしなくても粉が柄の上に残らないので、より計量精度が必要な場合に効果を発揮する。
【００４１】
図２は本発明のプラスチック製計量具の計量指標部の異なる他の一例を示す概略図である。図１の例では、計量指標部（６）の上端の露出をより視認し易くするために計量指標部（６）の上端の色を計量対象物と異なる色（図示せず）としているが、図２の例では、計量指標部（６）の上端の露出をより視認し易くするために計量指標部（６）の上端面の形状を星型としている。
【００４２】
もちろんこの形状は星型に限られず、計量指標部（６）の上端の露出形状を特徴的な形状にすることによって計量指標部（６）の色と計量対象物の粉体と同色の場合にはとくに計量完了確認に効果を発揮する。
【００４３】
本発明のプラスチック製計量具はプラスチック製であるため計量指標部の形状を変える場合にも周知のプラスチック成形法で容易に対応が可能であるので計量指標部（６）の形状を変えることも色を変えることも両方を変えることも自由に出来る。
【００４４】
図３は本発明のプラスチック製計量具の一例で、異なる量を１本の計量具で量ることが出来る他の一例の概略図である。
【００４５】
図３に示したプラスチック製計量具では、計量部（大）(１１）と計量部（小）（１３）という大きさが異なる２つの計量部が柄（３）の両側に設けられている。それぞれの計量部は図１または図２の計量部（１）と同じように、計量部（大）の縁部(１２）と計量部（小）の縁部（１４）および山状の計量指標部（１５）と計量指標部（１６）とを有しており、それぞれの構造は図１で示した一つの計量部を有するプラスチック製計量具の場合と同様である。
【００４６】
図３の（Ａ）には柄上面（３Ａ）のみでなく柄下面も含めてＸ−Ｘ’線での柄（３）の断面全体が曲面で構成されている場合を示したが本発明のプラスチック製計量具では柄上面が曲面で構成されていればよいが、他の面が曲面であってももちろん構わない。
【００４７】
図３の（Ｂ）には大きさが異なる２つの計量部のうちで計量部（大）(１１）の方を計量に用いた場合の例を示した。この図では計量部(小)の方は計量に用いられていないがここでは計量の手順の例を示したのであってとくに意味はない。
【００４８】
本発明のプラスチック製計量具は、片手だけの操作で計量することが可能な計量具であるので上記のように大きさが異なる２つの計量部を設けることによって、さらに計量具を交換することなく１本の計量具で異なる量の計量対象物が簡単に計量できるようになる。
【００４９】
本発明のプラスチック製計量具の材料としては、熱可塑性樹脂として、スチレン系樹脂、塩化ビニル系樹脂、ポリカーボネート系樹脂、ポリエステル系樹脂、ポリアミド系樹脂、ポリオレフィン系樹脂、メタクリル系樹脂のうちの１種以上が用いられる。
【００５０】
スチレン系樹脂としては、ポリスチレン、スチレン−アクリロニトリル共重合体、α−メチルスチレン−アクリロニトリル共重合体、スチレン−α−メチルスチレン−アクリロニトリル共重合体、スチレン−マレイミド共重合体、スチレン−マレイミド−アクリロニトリル共重合体、スチレン−α−メチルスチレン−マレイミド−アクリロニトリル共重合体、スチレン−マレイミド−無水マレイン酸−アクリロニトリル共重合体、スチレン−無水マレイン酸共重合体、スチレン−メチルメタクリレート共重合体等が挙げられる。
【００５１】
塩化ビニル系の樹脂としては、ポリ塩化ビニル、塩化ビニルと共重合可能なビニル単量体を共重合した塩化ビニル共重合体、後塩素化塩化ビニル樹脂等が挙げられる。ポリカーボネート系樹脂としては、ビスフェノール系ポリカーボネート、脂肪族ポリカーボネート等が挙げられる。
【００５２】
ポリエステル系樹脂としては、ポリエチレンテレフタレート、ポリブチレンテレフタレート等が挙げられる。ポリアミド系樹脂としては、ナイロン６、ナイロン６，６、ナイロン１２等が挙げられる。
【００５３】
ポリオレフィン系樹脂としては、ポリプロピレン、ポリエチレン、環状ポリオレフィン等が挙げられる。
【００５４】
メタクリル系樹脂としては、ポリメチルメタクリレート、メチルメタクリレートとアクリル酸アルキル（メチル、エチル、ブチル、２−エチルヘキシル等）の共重合体、メチルメタクリレートとメタクリル酸の共重合体等が挙げられる。
【００５５】
これらスチレン系樹脂、ポリカーボネート系樹脂、ポリエステル系樹脂、ポリアミド系
樹脂、ポリオレフィン系樹脂、塩化ビニル系樹脂、メタクリル系樹脂のうちの１種以上の樹脂を使用するポリマーアロイ、例えば、スチレン−アクリロニトリル共重合体とポリカーボネートのアロイ、スチレン−アクリロニトリル共重合体とポリ塩化ビニルのアロイ、スチレン−アクリロニトリル共重合体とナイロン６のアロイ、ポリエチレンテレフタレートとポリカーボネートのアロイ、ポリスチレンとポリフェニレンオキサイドのアロイ等も使用可能樹脂の範囲内である。
【００５６】
上記のスチレン系樹脂、塩化ビニル系樹脂、ポリカーボネート系樹脂、ポリエステル系樹脂、ポリアミド系樹脂、ポリオレフィン系樹脂、メタクリル樹脂の1種以上からなる樹脂とジエン系ゴム重合体、アクリル系ゴム重合体、シリコン系ゴム重合体、オレフィン系ゴム重合体に共重合可能なビニル系単量体を重合してなるグラフト共重合体からなるゴム変性樹脂も使用可能樹脂の範囲内である。
【００５７】
本発明のプラスチック製計量具の材料となる熱可塑性樹脂には、通常よく知られた酸化防止剤、熱安定剤、紫外線吸収剤、顔料、帯電防止剤、滑剤を必要に応じて適宜使用できる。
【００５８】
特に、スチレン系樹脂、塩化ビニル系樹脂に用いられるフェノール系、イオウ系、リン系、ヒンダードアミン系等の安定剤類、Ｓｎ系安定剤、Ｐｂ系安定剤、Ｃａ系安定剤等の安定剤類、ベンゾフェノン系、ベンゾトリアゾール系の紫外線吸収剤及びオルガノポリシロキサン、脂肪族炭化水素、高級脂肪酸と高級アルコールのエステル、高級脂肪酸のアミドまたはビスアミドおよびその変性体、オリゴアミド、高級脂肪酸の金属塩類等の内部滑剤、外滑剤等は成形用樹脂として、より高性能なものとするために用いることができる。
【００５９】
また、公知の難燃剤、強化剤、充填剤等を添加することもできる。難燃剤としては、テトラビスフェノールＡ等のブロム系、トリフェニルホスファイト等のリン系の有機化合物や無機金属化合物等が挙げられる。強化剤、充填剤としては、ガラス繊維、カーボン繊維、ステンレス繊維、アルミフレーク、タルク、マイカ、炭カル、ウイスカ等が挙げられる。
【００６０】
これらの安定剤、滑剤、難燃剤、強化剤、充填剤等は、単独でもまた２種以上混合して使用することもできる。
【００６１】
本発明のプラスチック製計量具の材料としての熱可塑性樹脂は、公知の成形法ならいずれにも利用できるが、効果を発揮しやすい点から、特に射出成形、プレス成形、真空成形、真空圧空成形等で外観の良好な成形体が得られる。
【００６２】
本発明のプラスチック製計量具の材料として好ましく用いることの出来る樹脂としては、成形品の製造に従来用いられている各種の材料を特に制限なく用いることができ、例えば、ポリプロピレン樹脂、ポリエチレン樹脂等のオレフィン系樹脂、ＰＥＴ（ポリエチレンテレフタレート）樹脂、ポリスチレン樹脂、ＡＢＳ（アクリロニトリル・スチレン・ブタジエン）樹脂等を用いることができる。
【００６３】
ポリプロピレン樹脂は、低価格汎用樹脂の代表であり、成形性もよいが、比較的に強度とくに曲げ弾性率が低く、薄肉化による樹脂量低減を進める場合は限界があるが、汎用樹脂として計量具に用いることができる。
【００６４】
資源保護を考慮すると再生またはリサイクル樹脂を使用することが好ましく、例えば、ＰＥＴ樹脂については、リサイクル・再生も進んでおり、強度（曲げ弾性率）も強い点から、材料として適している。さらに、ポリ乳酸樹脂等の生分解性樹脂や植物由来の樹脂を
用いることが出来る。
【００６５】
本発明の計量スプーンは、上記樹脂をおもに射出成形することによって製造される。射出成形の方法は通常の射出成形に加えて２色成形等の多色成形法やインサート成形等の複合的な成形法を用いることが出来る。
【００６６】
これらの方法によれば、計量指標部のみ他の部分と色を変えたり計量指標部の上部面のみ形と色の異なる識別しやすい状態にすること等のバリエーションが容易に可能になる。
【００６７】
もちろん、本発明のプラスチック製計量具の材料と製造方法としては上記の例示した材料と成形方法には限られず周知の成形材料と成形方法を用いることが出来る。
【符号の説明】
【００６８】
１…計量部
２…計量部縁部
３…柄
３Ａ…柄上面
４…操作保持部
５…粉体
６…計量指標部
１１…計量部（大）
１２…計量部（大）縁部
１３…計量部（小）
１４…計量部（小）縁部
１５…計量指標部（大）
１６…計量指標部（小）
【図１】
2010230376.tif 000003
【図２】
2010230376.tif 000004
【図３】
2010230376.tif 000005
【図４】
2010230376.tif 000006